(57)【要約】      （修正有）【課題】燃焼の強弱をコントロールすることができる燃焼用木材を提供する。【解決手段】燃焼用木材Ｗは、立設可能な柱状の木材本体１と、この木材本体１の上端面１Ａの略中心を通って前記木材本体１の内部に向かうと共に、前記上端面１Ａに少なくとも開口する縦穴２と、前記木材本体１の上端面１Ａ及び下端面を除く側面１Ｃにのみ開口し、前記木材本体１の内部に向かい前記縦穴２に連通する横穴３とを備えている。【選択図】図１
2011001417.tif 000002
【特許請求の範囲】
【請求項１】
立設可能な柱状の木材本体と、
この木材本体の上端面の略中心を通って前記木材本体の内部に向かうと共に、前記上端面に少なくとも開口する縦穴と、
前記木材本体の上端面及び下端面を除く側面にのみ開口し、前記木材本体の内部に向かい前記縦穴に連通する横穴と、
を備えていることを特徴とする燃焼用木材。
【請求項２】
上端面及び下端面が中心から同心円状の年輪を有すると共に、立設可能な柱状の木材と、
この木材の年輪の略中心を通って前記木材本体の内部に向かうと共に、前記木材の上端面に少なくとも開口する縦穴と、
前記木材の上端面及び下端面を除く側面にのみ開口し、前記木材の内部に向かい前記縦穴に連通する横穴と、
を備えていることを特徴とする燃焼用木材。
【請求項３】
横穴が複数設けられている
ことを特徴とする請求項１又は請求項２記載の燃焼用木材。
【請求項４】
上端面に、前記上端面を横断する溝が形成され、前記溝が縦穴の開口部に連通している
ことを特徴とする請求項１又は請求項２記載の燃焼用木材。
【発明の詳細な説明】
【技術分野】
【０００１】
本発明は、燃焼用木材に係り、特に、燃焼の強弱をコントロールすることができる燃焼用木材に関する。
【背景技術】
【０００２】
従来、「丸太ろうそく」と称されるものがある。これは、木材の端面にチェーンソー等で十文字の切り込みを入れたものである（例えば、特許文献１参照）。
特許文献１記載のものは、所定寸法の縦長角柱状に構成された木材本体（２）と、木材本体（２）に上面から当該木材本体（２）の前面幅（２Ａ）における縦中心線（２Ａ１）に沿うように刻設された前後方向への縦切込み（３）と、当該木材本体（２）の側面幅（２Ｂ）における縦中心線（２Ｂ１）に刻設された左右方向への縦切込み（４）と、前後方向への縦切込み（３）の下端に連結された状態で木材本体（２）を前後方向に貫通せしめた前後方向への横向き空気孔（５）と、左右方向への縦切込み（４）の下端に連結された状態で木材本体（２）を左右方向に貫通せしめた左右方向への横向き空気孔（６）と、木材本体（２）における前後方向への縦切込み（３）と左右方向への縦切込み（４）との交差部分に所定深さをもって角穴状あるいは丸穴状に刻設された補助着火材の収納部（７）とから構成されている。
この記載のものは、木材本体（２）の四側面の各面のそれぞれに、縦切込み（３）（３）（４）（４）を設け、木材本体（２）の周囲から空気が供給されるため、木材を勢いよく燃焼させることができる。
【先行技術文献】
【特許文献】
【０００３】
【特許文献１】実用新案登録第３０３２８０７号公報
【発明の概要】
【発明が解決しようとする課題】
【０００４】
しかしながら、上記記載のものの縦切込み（３）（３）（４）（４）は、木材本体（２）の四側面の各面のそれぞれに設けられ、しかも、何れも、木材本体（２）の上端面から切り込まれているため、木材本体（２）の燃焼部への空気の供給量が充分なため、例えば、時間をかけてゆっくりと燃やしたくても、勢いよく燃焼してしまい、燃焼の強弱のコントロールができないという問題点があった。
【０００５】
本発明は、上記の問題点を除去するようにした燃焼用木材を提供することを目的とする。
【課題を解決するための手段】
【０００６】
請求項１記載の燃焼用木材は、立設可能な柱状の木材本体と、この木材本体の上端面の略中心を通って前記木材本体の内部に向かうと共に、前記上端面に少なくとも開口する縦穴と、前記木材本体の上端面及び下端面を除く側面にのみ開口し、前記木材本体の内部に向かい前記縦穴に連通する横穴とを備えているものである。
【０００７】
また、請求項２記載の燃焼用木材は、上端面及び下端面が中心から同心円状の年輪を有すると共に、立設可能な柱状の木材と、この木材の年輪の略中心を通って前記木材本体の内部に向かうと共に、前記木材の上端面に少なくとも開口する縦穴と、前記木材の上端面及び下端面を除く側面にのみ開口し、前記木材の内部に向かい前記縦穴に連通する横穴とを備えているものである。
【０００８】
また、請求項３記載の燃焼用木材は、請求項１又は請求項２記載の燃焼用木材において、横穴が複数設けられているものである。
【０００９】
また、請求項４記載の燃焼用木材は、請求項１又は請求項２記載の燃焼用木材において、上端面に、前記上端面を横断する溝が形成され、前記溝が縦穴の開口部に連通しているものである。
【発明の効果】
【００１０】
請求項１記載の燃焼用木材によれば、木材本体の縦穴の下側の部位が着火すれば、横穴を介して空気が縦穴に導入され、木材本体の縦穴の上端面の開口から燃焼ガスが排出され、燃焼することができ、しかも、木材本体の縦穴の上端面の開口への空気の供給は横穴を介するため、例えば、該横穴を風の向きに向けたり、遠ざけたり、風の流入面積を減少させる抵抗体を前記横穴に挿入する等により燃焼の強弱をコントロールすることができる。
【００１１】
また、請求項２記載の燃焼用木材によれば、木材本体の縦穴の下側の部位が着火すれば、横穴を介して空気が縦穴に導入され、木材本体の縦穴の上端面の開口から燃焼ガスが排出され、燃焼することができ、しかも、木材本体の縦穴の上端面の開口への空気の供給は横穴を介するため、例えば、該横穴を風の向きに向けたり、遠ざけたり、風の流入面積を減少させる抵抗体を前記横穴に挿入する等により燃焼の強弱をコントロールすることができる。 
【００１２】
また、請求項３記載の燃焼用木材によれば、横穴が複数設けられているため、複数の横穴の適宜の使用、不使用（例えば、横穴の開口部を塞ぐ）により燃焼状態を多段階に亘って変化させることができる。
【００１３】
また、請求項４記載の燃焼用木材によれば、燃焼用木材の上端面に容器を載せても、木材の上端面に、前記上端面を横断する溝が形成され、前記溝が縦穴の開口部に連通しているため、縦穴の開口部が容器で塞がれるのを防止することができる。
【図面の簡単な説明】
【００１４】
【図１】図１は、本発明の一実施例の燃焼用木材の概略的斜視図である。
【図２】図２は、図１の燃焼用木材の一部を破断して示す概略的一部破断斜視図である。
【図３】図３は、図２の３−３線による概略的断面図である。
【図４】図４は、図３の４−４線による概略的断面図である。
【図５】図５は、図１の燃焼用木材の燃焼状態を示す概略的斜視図である。
【図６】図６（ａ）（ｂ）（ｃ）は、図１の燃焼用木材が着火、燃焼する過程を示す概略的断面図である。
【図７】図７は、図１の燃焼用木材の燃焼を促進させる手段の一例を示す概略的断面図である。
【図８】図８（ａ）（ｂ）は、図１の燃焼用木材と異なる他の実施例の燃焼用木材で、該燃焼用木材が着火、燃焼する過程を示す概略的断面図である。
【図９】図９（ａ）（ｂ）（ｃ）は、図１の燃焼用木材と異なる他の実施例の燃焼用木材を示す概略的斜視図である。
【図１０】図１０（ａ）（ｂ）（ｃ）（ｄ）は、図９と異なる他の実施例の燃焼用木材を示す概略的斜視図である。
【図１１】図１１は、図１０と異なる他の実施例の燃焼用木材を示す概略的斜視図である。
【発明を実施するための形態】
【００１５】
本発明の一実施例の燃焼用木材を図面を参照して説明する。
図１乃至図６に示すＷは、例えば、キャンプ等のアウトドアにおけるキャンプファイヤー、調理、局所暖房、非常用トーチ等に便利な燃焼用木材で、燃焼用木材Ｗは、立設可能な柱状の木材本体１を有している。
２は、木材本体１の上端面１Ａの略中心を通って木材本体１の内部に向かうと共に、上端面１Ａに少なくとも開口（開口部位２ａ）する縦穴である。縦穴２は、上端面１Ａと下端面１Ｂとを貫く貫通穴でも良いが、本願発明の縦穴２にあっては、少なくとも上端面１Ａに開口（開口部位２ａ）する縦穴２であれば良い。また、縦穴２の直径の大きさは、使用者において、適宜、決定できるもので、例えば、約２４ｍｍである。
また、３は、木材本体１の上端面１Ａ及び下端面１Ｂを除く側面１Ｃにのみ開口（開口部位３ａ、３ａ’）し、木材本体１の内部に向かい縦穴２に連通する横穴で、横穴３の数は、単数でも複数でも良く、本実施例では、例えば、３個であり（側面１Ｃを貫通する横穴３の両端の開口部位３ａ、３ａと、開口部位３ａより上位に位置する横穴３の開口部位３ａ’）、また、横穴３の直径の大きさも使用者において、適宜、決定できるもので、例えば、直径は、約２４ｍｍである。
【００１６】
また、上端面１Ａには、上端面１Ａを横断する溝Ｍ１、Ｍ２が、例えば、クロス状に形成され、溝Ｍ１、Ｍ２は縦穴２の開口部２ａに連通している。
これは、木材本体１の上端面１Ａに容器を載せて使用した場合、縦穴２の開口部２ａが容器で塞がれるのを避けるためである。溝Ｍ１、Ｍ２の数、溝Ｍ１、Ｍ２の深さ等は、使用者の用途等に応じて、適宜、決定されるものである。
【００１７】
また、木材本体１は、例えば、檜、杉、ブナ、クヌギ等であり、また、木材本体１は皮を剥がないものでも良いが、望ましくは、皮をはいだ木材が良い。これは、皮の部位が燃えやすいためである。
また、木材本体１の上端面１Ａ及び下端面１Ｂは、望ましくは、中心から同心円状の年輪を有するものが良い（図１参照）。これは、木口面の外側の比較的淡い色の部分より，その内側の着色した（赤っぽい）部分の方に木材のオイルが多く含まれているため、着火と、その後の燃焼が容易なためである。
【００１８】
従って、図６（ａ）（ｂ）（ｃ）に示すように、木材本体１の横穴３の開口部位３ａ’から着火材５を挿入して、木材本体１の縦穴２の下側の部位を着火させると、開口部位３ａ、３ａの横穴３を介して空気が縦穴２に導入され、木材本体１の縦穴２の上端面の開口（開口部位２ａ）から燃焼ガスが排出され（図５参照）、木材本体１の内側から外側に向かって燃焼させることができる。
しかも、木材本体１の縦穴２の上端面１Ａの開口（開口部位２ａ）への空気の供給は横穴３を介するため、例えば、該横穴３を風の向きに向けて空気の供給量を増大させて、燃焼を強くすることができる。
また、逆に、燃焼を弱めたい場合には、横穴３を風の向きから遠ざけたり、風の流入面積を減少させる抵抗体を横穴３に挿入して行う。このようにして、木材本体１の燃焼の強弱をコントロールすることができる。
なお、木材本体１の燃焼部は、縦穴２であるため、木材本体１の側面１Ｃを手で持って容易に木材本体１の方向を替えることができる。
【００１９】
また、図７に示すように、竹筒６を使用して燃焼を促進させるようにしても良いし、また、図８（ａ）（ｂ）に示すように、木材本体１内に容易に燃える着火材７を収納する部位８を設けて着火するようにしても良い。
また、本願発明の木材本体１は、断面形状が円に限らず、四角[図９（ａ）参照］、三角、六角等の多角形[図９（ｂ）（ｃ）参照］でも良いし、また、本願発明の木材本体１の高さは、図１記載のように高さが比較的高い長柱でも良いし、図１０（ａ）（ｂ）（ｃ）（ｄ）に示すように、高さが比較的低い短柱にも同様に適用することができる。
【００２０】
また、上述の実施例の上端面１Ａに溝Ｍ１、Ｍ２を設けたが、本願発明にあっては、これに限らず、図１１に示すように、溝Ｍ１、Ｍ２を設けないものにも同様に適用できるものである。
なお、本件発明者が檜を使った実験結果によれば、木材本体１の直径が約１３ｃｍ、高さが約３７ｃｍ、縦穴２及び横穴３の直径が約２４ｍｍ、横穴３の開口部３ａ’の位置が上端面１Ａまでの長さが約２０ｃｍ、横穴３の開口部３ａの位置が上端面１Ａまでの長さが約２５ｃｍのものを燃し、開口部位２ａから燃焼ガスを排出させて燃焼させた場合、燃焼時間は約３時間程度であった。
【符号の説明】
【００２１】
Ｗ      燃焼用木材
１Ａ    上端面
１Ｂ    下端面
１Ｃ    側面
２      縦穴
３      横穴
【図１】
2011001417.tif 000003
【図２】
2011001417.tif 000004
【図３】
2011001417.tif 000005
【図４】
2011001417.tif 000006
【図５】
2011001417.tif 000007
【図６】
2011001417.tif 000008
【図７】
2011001417.tif 000009
【図８】
2011001417.tif 000010
【図９】
2011001417.tif 000011
【図１０】
2011001417.tif 000012
【図１１】
2011001417.tif 000013